(57)【要約】【課題】製造コストが安く、かつ、搬送中の鶏卵の破損を効果的に防止することができる高い保形性を有する緩衝装置を提供する。【解決手段】複数個の鶏卵Ｅの破損を防止して搬送するための緩衝装置に関する。前記複数個の鶏卵Ｅを収納するための収納部Ｓを有する箱体１０と、収納部内Ｓに設けられ、該収納部Ｓを格子状に区画する仕切板３０とを備えている。前記箱体１０と前記仕切板３０とが一枚の段ボールにより一体に形成されている。【選択図】　　　　　　　　図１
0003098790.tif 000002
【実用新案登録請求の範囲】
【請求項１】
複数個の鶏卵の破損を防止して搬送するための緩衝装置であって、
前記複数個の鶏卵を収納するための収納部を有する箱体と、
前記収納部内に設けられ、該収納部を格子状に区画する仕切板とを備え、
前記箱体と前記仕切板とが一枚の段ボールにより一体に形成されている鶏卵用緩衝装置。
【請求項２】
請求項１において、
前記箱体の上部蓋面および各側面部には、前記収納部に収納された鶏卵の状態を外部から視認可能とする窓が設けられている鶏卵用緩衝装置。
【考案の詳細な説明】
【０００１】
【考案の属する技術分野】
本考案は、搬送時の鶏卵の破損を防止するための緩衝装置に関する。
【０００２】
【従来の技術】
従来より、産地直送など付加価値の高い鶏卵は、複数個の鶏卵を樹脂製の容器に詰めて袋状のネットで包装された状態で搬送および販売されている（たとえば、特許文献１参照）。しかし、こうした従来の容器では下記のような欠点がある。
（１）　容器の上方はネットで包装しているだけなので、鶏卵に直接外力が加わるから、鶏卵が破損し易い。
（２）　上段と下段の鶏卵が互いに接触しているので、鶏卵同士が当たって破損し易い。
【０００３】
【特許文献１】
特開平９−２９０８８１号　（第２−３頁、図１）
【０００４】
本考案は前記従来の問題を解決するためになされた鶏卵用緩衝装置を提供することを目的とする。
【０００５】
【考案の実施の形態】
以下、本考案の一実施形態を図面にしたがって説明する。
図１に示す本発明の緩衝装置は、箱体１０および仕切板３０を備えている。
図２に示すように、前記箱体１０は、複数個の鶏卵Ｅを収納するための収納部Ｓを備え、該収納部Ｓ内には前記仕切板３０が設けられている。前記仕切板３０は、前記収納部Ｓを格子状に区画している。前記複数個の鶏卵Ｅは、前記収納部Ｓの各区画に１個ずつ収納される。
【０００６】
前記箱体１０および仕切板３０は、一枚の段ボールにより一体に形成されており、図３に示す偏平に折畳んだ状態から、折り目に沿って折曲させることで図１に示すように内部に仕切板３０を備えた立方体状に組み立てることができる。
図４に示すように、前記箱体１０の対向する各一対の第１および第２側面部１１、１２は、図示しない糊代片により角筒状に連結されている。図２に示すように、前記一対の第１側面部１１および一方の第２側面部１２の各上辺には、蓋片１５が折り目Ｃ１を介して連設され、残る他方の第２側面部１２の上辺には、上部蓋面１６が折り目Ｃ２を介して連設されている。
【０００７】
図４に示すように、前記第１側面部１１の各下辺には、内部底片２１が折り目Ａ１を介して各々連設されている。一方、前記第２側面部１２の各下辺には、外部底片２２が折り目Ｂ１を介して各々連設されている。
前記第１側面部１１の各先端には、それぞれ、前記仕切板３０を構成する横仕切片３１が、折り目Ａ２を介して連設されている。前記第２側面部１２の各先端には、それぞれ、前記仕切板３０を構成する縦仕切片３２が、折り目Ｂ２を介して連設されている。
【０００８】
図３および図４に示すように、前記箱体１０を組み立てる際に、横仕切片３１と縦仕切片３２とが互いに干渉する各部位には、嵌合用のスリット６および溝７、８が設けられている。なお、前記溝８の開口端部に設けられた突出部８ａは、前記溝７に嵌合して、横仕切片３１の浮き上がりを防止するためのものである。
【０００９】
つぎに、箱体１０の組み立て方法について説明する。
箱体１０は、図３に示す折畳んだ状態で保管される。この状態から図４に示すように、第１および第２側面部１１、１２を角筒状に展開させた上で、折り目Ａ１に沿って各内部底片２１を箱体１０の内側に向って直角に折曲させる。この際、各横仕切片３１を折り目Ａ２に沿って直角に折曲させ、図５に示すように、横仕切片３１を前記内部底片２１から上方に向って起立させる。
【００１０】
ついで、各外部底片２２を折り目Ｂ１に沿って箱体１０の内側に向って折曲させると共に、各縦仕切片３２を折り目Ｂ２に沿って上向きに直角に折曲させながら、各縦仕切片３２を前記スリット６に嵌合させる。図５では、嵌合状態を理解し易いように、一枚の縦仕切片３２が前記スリット６に嵌合した状態を示している。実際には、２枚の縦仕切片３２が互いに重合された状態で前記スリット６に嵌合される。これにより、図２に示すように、横仕切片３１と縦仕切片３２とが直交状に噛み合った状態で起立されて、収納部Ｓを区画する仕切板３０が形成される。
なお、前記内部底片２１と外部底片２２とは重合されて、箱体１０の底面を形成する。
【００１１】
鶏卵Ｅを搬送するには、前記仕切板３０により格子状に区画された収納部Ｓの各区画に鶏卵Ｅを１個ずつ収納する。その後、蓋片１５を折り目Ｃ１に沿って箱体１０の内側に向って直角に折曲した後、上部蓋面１６を折り目Ｃ２に沿って直角に折曲させて係止することで、図１に示す搬送状態とすることができる。その後、鶏卵Ｅは店舗等に搬送されて前記搬送状態のまま消費者に販売される。
なお、図１に示すように、前記箱体１０には切れ目１８が設けられており、前記上部蓋面１６に設けられた被係止片１６ａが前記切れ目１８に挿入されることで、前記上部蓋面１６が開かないよう係止される。
【００１２】
ところで、前記箱体１０の上部蓋面１６および各側面部１１、１２には、窓２５が各々設けられている。消費者は、前記窓２５から収納部Ｓに収納された全部の鶏卵Ｅの状態を視認することができるから、安心して鶏卵Ｅを購入することができる。また、前記窓２５の縁に指を掛けることができるから、箱体１０を誤って落下させるおそれも少なくなる。
なお、前記窓２５に透明な樹脂フィルムなどを設けるようにしてもよい。
【００１３】
また、前記実施形態では、縦仕切片３２が２枚重ね合わされて仕切板３０が組み立てられていたが、図６に示すように、縦仕切片３２は１枚だけでもよい。この場合、もう一方の外部底片２２は、箱体１０の底面の概ね全面を覆って係止されるように設けられる。
【００１４】
さらに、前記収納部Ｓの区画の態様は、６区画に限定されず、横仕切片２１の枚数を適宜変更することにより、４区画または８区画等に設定することができる。また、収納部Ｓを奇数に区画するように仕切板３０が設けられていてもよい。
【００１５】
【考案の効果】
以上説明したように、本考案の緩衝装置は、鶏卵を１個ずつ区画して収納する上、鶏卵に接触する箱体および仕切板の双方が段ボールで形成されているから、搬送中の鶏卵の破損を効果的に防止することができる。しかも、箱体および仕切板が一枚の段ボールにより一体に形成されているため、高い保形性を有すると共に、製造コストが安い。
【００１６】
また、前記箱体の上部蓋面および各側面部に窓を設ければ、消費者が鶏卵が破損していないか等の鶏卵の状態を外部から視認することができるから、消費者に安心感を持たせることができる。
【図面の簡単な説明】
【図１】緩衝装置を示す斜視図である。
【図２】鶏卵の収納状態を示す斜視図である。
【図３】箱体を偏平に折り畳んだ状態を示す平面図である。
【図４】箱体を角筒状に展開させた状態を示す斜視図である。
【図５】仕切板の組み立て途中の状態を示す斜視図である。
【図６】変形例を示す斜視図である。
【符号の説明】
１０：箱体
１１、１２：側面部
１６：上部蓋面
２５：窓
３０：仕切板
Ｓ：収納部
Ｅ：鶏卵
【図１】
0003098790.tif 000003
【図２】
0003098790.tif 000004
【図３】
0003098790.tif 000005
【図４】
0003098790.tif 000006
【図５】
0003098790.tif 000007
【図６】
0003098790.tif 000008